(57)【特許請求の範囲】
【請求項１】
配信局が配信データを通信端末に配信する配信システムであって、前記通信端末は、所望のコンテンツデータの配信を要求する配信要求信号を前記配信局に送信し、前記配信局は、前記配信要求信号を受信すると、広告情報と前記配信要求信号により要求されたコンテンツデータとの双方からなる配信データを前記通信端末に配信し、前記通信端末は、前記広告情報と前記コンテンツデータとの双方からなる前記配信データを受信し、この受信された前記コンテンツデータを前記広告情報と共に再生する配信システムに適用される、前記配信局の配信方法であって、
前記配信システムにおいて、前記通信端末は、前記配信された配信データを保持するメモリを有し、前記配信された配信データを前記メモリに既に保持している状態で、前記配信局に前記配信要求信号を送信するときには、前記配信要求信号に加えて、前記メモリに保持された広告情報を示す保持広告データをも前記配信局に送信するように構成されており、
前記配信局は、
前記通信端末から送信された前記配信要求信号及び前記保持広告データを受信すると、この受信した前記保持広告データを基に、前記通信端末の前記メモリに保持されている広告情報とは異なる広告情報を選択し、この選択された広告情報と前記配信要求信号により要求されたコンテンツデータとの双方からなる配信データを前記通信端末に配信することを特徴とする配信方法。
【請求項２】
配信局が配信データを通信端末に配信する配信システムであって、前記通信端末は、所望のコンテンツデータの配信を要求する配信要求信号を前記配信局に送信し、前記配信局は、前記配信要求信号を受信すると、広告情報と前記配信要求信号により要求されたコンテンツデータとの双方からなる配信データを前記通信端末に配信し、前記通信端末は、前記広告情報と前記コンテンツデータとの双方からなる前記配信データを受信し、この受信された前記コンテンツデータを前記広告情報と共に再生する配信システムに適用される、前記通信端末であって、
操作者の操作を受けつける操作部と、
前記配信局に対して所望のコンテンツデータを送信させるための配信要求信号を送信する送信手段と、
前記配信局によって送信された前記コンテンツデータ及び広告情報からなる配信データを受信する受信手段と、
前記配信局から送信された前記配信データを保持するメモリと、
前記操作部の操作に応じて、前記メモリに保持された前記コンテンツデータを前記広告情報と共に再生する再生手段とを有し、
前記送信手段は、前記配信された配信データを前記メモリに既に保持している状態で、前記配信局に前記配信要求信号を送信するときには、前記配信要求信号に加えて、前記メモリに保持された広告情報を示す保持広告データをも前記配信局に送信し、前記配信局において、前記送信された前記保持広告データを基に、前記通信端末の前記メモリに保持されている広告情報とは異なる広告情報を選択し、この選択された広告情報と前記送信された配信要求信号により要求されたコンテンツデータとの双方からなる配信データを前記通信端末に送信させるようにすることを特徴とする通信端末。
【請求項３】
前記再生手段は、前記コンテンツデータと前記広告情報との双方のうち一方を他方に先立って再生することを特徴とする請求項２に記載の通信端末。
【請求項４】
前記再生手段は、
前記コンテンツデータに先だって前記広告情報を再生する広告再生手段と、
前記広告再生手段によって前記広告情報が所定量以上再生されたか否かを判定する判定手段と、
前記判定手段によって前記広告情報が所定量以上再生されたと判定された時、前記コンテンツデータを再生するデータ再生手段とを有することを特徴とする請求項２又は３に記載の通信端末。
【請求項５】
前記再生手段は、前記コンテンツデータ及び前記広告情報を並列的に再生することを特徴とする請求項２に記載の通信端末。
【請求項６】
配信局が配信データを通信端末に配信する配信システムであって、前記通信端末は、所望のコンテンツデータの配信を要求する配信要求信号を前記配信局に送信し、前記配信局は、前記配信要求信号を受信すると、広告情報と前記配信要求信号により要求されたコンテンツデータとの双方からなる配信データを前記通信端末に配信し、前記通信端末は、前記広告情報と前記コンテンツデータとの双方からなる前記配信データを受信し、この受信された前記コンテンツデータを前記広告情報と共に再生する配信システムに適用される、前記配信局であって、
前記配信システムにおいて、前記通信端末は、前記配信された配信データを保持するメモリを有し、前記配信された配信データを前記メモリに既に保持している状態で、前記配信局に前記配信要求信号を送信するときには、前記配信要求信号に加えて、前記メモリに保持された広告情報を示す保持広告データをも前記配信局に送信するように構成されており、
前記配信局は、
コンテンツデータ及び広告情報の双方を保持する保持手段と、
前記通信端末から送信された前記配信要求信号を受信すると、前記保持手段に保持された前記コンテンツデータ及び前記広告情報の双方を前記配信データとして送信する送信手段とを有し、
前記送信手段は、前記通信端末から送信された前記配信要求信号及び前記保持広告データを受信すると、前記保持手段に保持された前記コンテンツデータから前記配信要求信号により要求されたコンテンツデータを選択するとともに、前記保持広告データを基に、前記保持手段に保持された広告情報から前記通信端末の前記メモリに保持されている広告情報とは異なる広告情報を選択し、この選択された前記コンテンツデータ及び前記広告情報の双方を前記配信データとして前記通信端末に送信することを特徴とする配信局。
【発明の詳細な説明】
【０００１】
【発明の属する技術分野】
本発明は、例えば、音楽、画像等の配信データの配信システムに適用される配信方法、それに用いられる通信端末及び配信局に関する。
【０００２】
【従来の技術】
従来、配信システムとして、配信局から音楽、画像等の配信データ（コンテンツデータ）を有料で携帯電話等の個人通信端末に送信して、個人通信端末が送信された配信データを再生するようにしたものがある。
【０００３】
【発明が解決しようとする課題】
しかしながら、上記配信システムでは、使用者にとって、配信局から配信データを得る為には、高額な料金を必要するため、配信データの取得の障害となっていた。また、広告情報を添付した配信データを使用者に送信して、配信局側が広告主から広告料を得ることで、配信データの料金を賄うことも考えられる。しかし、使用者によっては、広告情報が再生されても、広告情報の再生を意識的に拒否して、配信データのコンテンツデータだけを再生し、広告情報の有効利用が成されない可能性がある。
【０００４】
本発明は、上記点に鑑み、配信データに広告情報を添付して、この広告情報を使用者に確実に伝えるようにすることを目的とする。
【０００５】
【課題を解決するための手段】
本発明は、上記目的を達成するために、請求項１に記載の発明では、配信局（１００）が配信データを通信端末（３００〜３２０）に配信する配信システムであって、通信端末は、所望のコンテンツデータの配信を要求する配信要求信号を配信局に送信し、配信局は、配信要求信号を受信すると、広告情報と配信要求信号により要求されたコンテンツデータとの双方からなる配信データを通信端末に配信し、通信端末は、広告情報とコンテンツデータとの双方からなる配信データを受信し、この受信されたコンテンツデータを広告情報と共に再生する配信システムに適用される、配信局の配信方法であって、前記配信システムにおいて、通信端末は、配信された配信データを保持するメモリを有し、配信された配信データをメモリに既に保持している状態で、配信局に配信要求信号を送信するときには、配信要求信号に加えて、メモリに保持された広告情報を示す保持広告データをも配信局に送信するように構成されており、配信局は、通信端末から送信された配信要求信号及び保持広告データを受信すると、この受信した保持広告データを基に、通信端末のメモリに保持されている広告情報とは異なる広告情報を選択し、この選択された広告情報と配信要求信号により要求されたコンテンツデータとの双方からなる配信データを通信端末に配信することを特徴とする。これにより、使用者に広告情報を確実に伝えることができる。また、広告情報の広告主がコンテンツデータの料金を負担することで、使用者にとって配信データを低額な料金で得ることが可能となる。
【０００８】
請求項２に記載の発明では、配信局が配信データを通信端末に配信する配信システムであって、通信端末は、所望のコンテンツデータの配信を要求する配信要求信号を配信局に送信し、配信局は、配信要求信号を受信すると、広告情報と配信要求信号により要求されたコンテンツデータとの双方からなる配信データを通信端末に配信し、通信端末は、広告情報とコンテンツデータとの双方からなる配信データを受信し、この受信されたコンテンツデータを広告情報と共に再生する配信システムに適用される、通信端末であって、操作者の操作を受けつける操作部（２０）と、配信局（１００）に対して所望のコンテンツデータを送信させるための配信要求信号を送信する送信手段（４００）と、配信局によって送信されたコンテンツデータ及び広告情報からなる配信データを受信する受信手段（４０１）と、配信局から送信された配信データを保持する保持手段（９０）と、操作部の操作に応じて、保持手段に保持されたコンテンツデータを広告情報と共に再生する再生手段（４０４〜４０７）とを有し、送信手段は、配信された配信データをメモリに既に保持している状態で、配信局に配信要求信号を送信するときには、配信要求信号に加えて、メモリに保持された広告情報を示す保持広告データをも配信局に送信し、配信局において、送信された保持広告データを基に、通信端末のメモリに保持されている広告情報とは異なる広告情報を選択し、この選択された広告情報と送信された配信要求信号により要求されたコンテンツデータとの双方からなる配信データを通信端末に送信させるようにすることを特徴とする。これにより、使用者に広告情報を確実に伝えることができる。ここで、請求項３に記載の発明のように、再生手段は、コンテンツデータと広告情報との双方のうち一方を他方に先立って再生するようにしてもよい。
【０００９】
また、請求項４に記載の発明のように、再生手段は、コンテンツデータに先だって広告情報を再生する広告再生手段（４０５）と、広告再生手段によって広告情報が所定量以上再生されたか否かを判定する判定手段（４０６）と、判定手段によって広告情報が所定量以上再生されたと判定された時、コンテンツデータを再生するデータ再生手段（４０７）とを有するようにしてもよい。また、請求項５に記載の発明のように、再生手段は、コンテンツデータ及び広告情報を並列的に再生するようにしてもよい。
【００１２】
また、請求項６に記載の発明では、配信局が配信データを通信端末に配信する配信システムであって、通信端末は、所望のコンテンツデータの配信を要求する配信要求信号を配信局に送信し、配信局は、配信要求信号を受信すると、広告情報と配信要求信号により要求されたコンテンツデータとの双方からなる配信データを通信端末に配信し、通信端末は、広告情報とコンテンツデータとの双方からなる配信データを受信し、この受信されたコンテンツデータを広告情報と共に再生する配信システムに適用される、配信局であって、前記配信システムにおいて、通信端末は、配信された配信データを保持するメモリを有し、配信された配信データをメモリに既に保持している状態で、配信局に配信要求信号を送信するときには、配信要求信号に加えて、メモリに保持された広告情報を示す保持広告データをも配信局に送信するように構成されており、配信局は、コンテンツデータ及び広告情報の双方を保持する保持手段（１０４）と、通信端末から送信された配信要求信号を受信すると、保持手段に保持されたコンテンツデータ及び広告情報の双方を配信データとして送信する送信手段（５０１）とを有し、送信手段は、通信端末から送信された配信要求信号及び保持広告データを受信すると、保持手段に保持されたコンテンツデータから配信要求信号により要求されたコンテンツデータを選択するとともに、保持広告データを基に、保持手段に保持された広告情報から通信端末のメモリに保持されている広告情報とは異なる広告情報を選択し、この選択されたコンテンツデータ及び広告情報の双方を配信データとして通信端末に送信することを特徴とする。
【００１３】
因みに、上記各手段の括弧内の符号は、後述する実施形態に記載の具体的手段との対応関係を示す一例である。
【００１４】
【発明の実施の形態】
（第１実施形態）
図１、図２に本発明の第１実施形態に係る配信システムを示す。図１は配信システムを示す概略図で、図２は配信局の概略電気回路構成を示すブロック図である。配信システムは、配信局１００、基地局１０３、広告主２００〜２０２、携帯電話３００、３１０及びコンピュータ３２０から構成されている。但し、携帯電話（無線通信端末）３００、３１０は、コンピュータ３２０（通信端末）とともに、配信システムの使用者の個人通信端末としての役割を果たす。
【００１５】
配信局１００は、図２に示すように、制御部１０１、無線部１０２、アンテナ１０３、データベース１０４、及びメモリ１０５から構成され、制御部１０１は、マイクロコンピュータ等からなって、配信データの配信処理等をし、無線部１０２は、携帯電話３００、３１０からの配信要求信号を基地局１０３を通して受け、配信要求信号を制御部１０１に出力する一方、配信データを示す配信信号を基地局１０３に出力する。データベース１０４は、配信データを保持し、配信データは、音楽データ（コンテンツデータ）及び画像広告情報から構成されている。メモリ１０５は、制御部１０１のコンピュータプログラムを保持する。
【００１６】
図１に示す基地局１０３は、配信局１００からの配信信号（配信データを示す）を電波を媒体として送信する。また、広告主２００〜２０２は、各々、コンピュータ（登録通信端末）２００Ａ〜２０２Ａを有し、コンピュータ２００Ａ〜２０２Ａは、各々、配信局１００にオンライン接続されている。なお、コンピュータ２００Ａ〜２０２Ａは、各々、配信局１００との間で、無線通信を行うようにしてもよい。
【００１７】
ここで、個人通信端末の一例として携帯電話３００をとりあげ、携帯電話３００の電気回路構成を説明する。携帯電話３００は、制御部１０、キー操作部２０、表示部３０、マイク４０、スピーカ５０、音声処理部６０、無線部７０、アンテナ８０、及びメモリ９０から構成されている。制御部１０は、マイクロコンピュータ等からなって、電話処理、配信データ再生処理等をし、表示部３０（液晶パネル）は、制御部１０により制御されて、画像広告情報等の各種情報を表示する。
【００１８】
マイク（送話部）４０は、使用者の音声を送話音声信号に変換し音声処理部６０に出力し、スピーカ（受話部）５０は、音声処理部６０からの受話音声信号、音楽信号等の各種音声信号に基づいて、音声、音楽を出力する。音声処理部６０は、制御部１０により制御されて、無線部７０からの復調信号を受話音声信号に変換してスピーカ５０に出力する一方、マイク４０からの送話音声信号を送信信号に変換し無線部７０に出力する。また、音声処理部６０は、制御部１０により制御されて、音楽信号をスピーカ５０に出力する。
【００１９】
無線部７０は、アンテナ８０を介して受信した受信信号を復調信号に変換して音声処理部６０に出力する一方、音声処理部６０からの送信信号を変調して変調信号をアンテナ８０を介して送信する。メモリ９０は、制御部１０のコンピュータプログラム、各種データを保持する。
【００２０】
次に、本第１実施形態の作動について図４を参照して説明する。以下、個人通信端末として、携帯電話３００をとりあげた例について説明する。携帯電話３００の制御部１０、配信局１００の制御部１０１、及び広告主２００〜２０２のコンピュータ２００Ａ〜２０２Ａは、各々、図４に示すフローチャートに従って、処理を行う。
【００２１】
先ず、携帯電話３００及び配信局１００の処理の説明に先だって、広告主２００〜２０２のコンピュータ２００Ａ〜２０２Ａの処理につき説明する。広告主２００〜２０２は、それぞれ、コンピュータ２００Ａ〜２０２Ａによって、画像広告情報に加えて、画像広告情報毎の送信時間帯を、配信局１００にオンラインで送信する（ステップ６００）。ここで、配信局１００の制御部１０１では、コンピュータ２００Ａ〜２０２Ａからの各画像広告情報を、送信時間帯毎に区分けして、データベース１０４に保持させる。これにより、各画像広告情報は、コンピュータ２００Ａ〜２０２Ａによって、配信局１００のデータベース１０４に登録されることになる。
【００２２】
なお、広告主２００〜２０２は、コンピュータ２００Ａ〜２０２Ａによって、画像広告情報及びその送信時間帯に加えて、広告料を配信局１００にオンラインで送信するようにしてもよい。この場合には、配信局１００の制御部１０１は、コンピュータ２００Ａ〜２０２Ａからの各画像広告情報を送信時間帯毎に区分けし、送信時間帯毎の各画像広告情報のうち最も高額な広告料の画像広告情報を選択して、この選択した画像広告情報をデータベース１０４に保持させる。
【００２３】
以下、携帯電話３００及び配信局１００の処理を説明する。先ず、携帯電話３００の制御部１０においては、キー操作部２０への所定操作に応じて、配信データ取得再生処理が行われる。先ず、無線部７０によって、配信要求信号をアンテナ８０から出力させる（ステップ４００）。但し、配信要求信号は、使用者による音楽データの希望曲名をも含む。
【００２４】
ここで、配信局１００の制御部１０１では、配信要求信号を基地局１０３を経て無線部１０２を通して受けると、配信データの配信処理を開始する。先ず、データベース１０４に保持された画像広告情報に基づいて、送信時間帯に対応した画像広告情報を選択し（ステップ５００）、選択された画像広告情報を音楽データ（使用者が希望する）に付加して、ＣＭ付配信データとして無線部１０２によって基地局１０３から送信させる（ステップ５０１）。
【００２５】
次に、携帯電話３００の制御部１０では、アンテナ８０を通して無線部７０を経てＣＭ付配信データを受信すると（ステップ４０１）、このＣＭ付配信データをメモリ９０に格納する（ステップ４０２）。その後、キー操作部２０への所定操作に応じて、例えば「Ｆ１４」が入力されると（ステップ４０３）、ＣＭ付配信データの再生処理を行う（ステップ４０４）。即ち、図５に示すように、音声処理部６０によって、ＣＭ付配信データに基づいてスピーカ５０から音楽を出力させる。これと同時に、表示部３０は、ＣＭ付配信データに基づいて画像広告情報を表示する。
【００２６】
ここで、配信局１００の制御部１０１においては、携帯電話３００への送信履歴データをメモリ９０に保持し、当該送信履歴データに応じて、広告料の費用請求を示す費用請求信号を対応する広告主２００〜２０２のコンピュータ２００Ａ〜２０２Ａに送信する。ここで、費用請求信号は、広告主２００〜２０２のコンピュータ２００Ａ〜２０２Ａから配信局１００に送信するようにしてもよい。例えば、広告主２００〜２０２のコンピュータ２００Ａ〜２０２Ａは、使用者が広告を見たという情報を配信局に送信し、配信局は、使用者と広告主２００〜２０２Ａに別々に費用を請求する。
【００２７】
以上により、配信データとして音楽データに広告情報を付加して、音楽データとともに画像広告情報を再生するようにしているので、画像広告情報を使用者に確実に通知することができる。ここで、配信データの料金の一部（或いは、全て）を広告主２００〜２０２が負担することにより、使用者にとって、音楽データの取得の料金を軽減することができる。
【００２８】
なお、本発明の実施にあたり、携帯電話３００が、配信データとして音楽データ及び画像広告情報の双方をメモリ９０に既に保持している状態で、配信局１００に配信要求信号を送信するときには、配信要求信号に加えて、メモリ９０に保持された広告情報を示す保持広告データをも配信局１００に送信するようにしてもよい。この場合には、配信局１００では、上記保持広告データを基に、携帯電話３００によって保持されている広告情報と異なる広告情報を選択し、この選択された広告情報とともに音楽データを携帯電話３００に送信するようにする。これにより、携帯電話３００では、音楽データの配信を受ける度に新たな画像広告情報を再生することになる。
【００２９】
なお、上記第１実施形態では、コンテンツデータとして音楽データを適用するとともに広告情報として画像広告情報を適用する例につき説明したが、これに限らず、図６に示すように、コンテンツデータとして画像情報を採用するとともに広告情報として音声情報を採用し、コンテンツデータとしての画像情報を表示部３０によって再生すると同時に、広告情報としての音声情報をスピーカ５０によって再生するようにしてもよい。
【００３０】
さらに、これに限らず、図７に示すように、コンテンツデータとして音楽データ及び画像情報の双方を採用するとともに、コンテンツデータ及び広告情報を各々交互に再生するようにしてもよい。また、これに限らず、図８に示すように、コンテンツデータとして音楽データ及び画像情報の双方を採用するとともに、コンテンツデータを一定期間再生したのち、広告情報を一定期間、再生するようにしてもよい。また、これに限らず、図９に示すように、広告情報を一定期間再生したのち、コンテンツデータ（音楽データ及び画像情報）を一定期間再生するようにしてもよい。
【００３１】
さらに、図１０に示すように、コンテンツデータとして画像情報（例えば、映画）を採用するとともに、広告情報として画像情報を採用し、コンテンツデータ及び広告情報を表示部３０によって同時に再生するようにしてもよい。また、図１１に示すように、コンテンツデータとして画像情報及び音楽の双方を採用するとともに、広告情報として画像情報を採用し、コンテンツデータ及び広告情報を同時に再生するようにしてもよい。
【００３２】
ここで、図１０、１１に示すように、コンテンツデータ及び広告情報の双方で画像情報を採用するときには、図１２、１３に示すように、表示部３０において、コンテンツデータの表示の中に広告情報を表示させる。具体的には、図１２に示すように、コンテンツデータの表示のうち下側において、長方形の画像で、広告情報を再生する。また、表示部３０において、画面上にテロップ（文字）として映してもよい。また、図１３に示すように、コンテンツデータの表示のうち右上側において、長方形の画像で、広告情報を再生するようにしてもよい。
【００３３】
（第２実施形態）
上記第１実施形態では、携帯電話３００では、音楽データ及び広告情報を同時（並列的）に再生するようにした例につき説明したが、広告情報を一定期間、再生したとき、音楽データを再生するようにしてもよい。本第２実施形態では、図４に示すフローチャートに代えて、図１４に示すフローチャートが採用されている。なお、図１４に示すステップ４００〜４０３、５００〜５０２、６００は、図４に示すステップ４００〜４０３、５００〜５０２、６００と同一である。
【００３４】
以下、携帯電話３００の作動につき図１４により説明する。携帯電話３００の制御部１０では、ステップ４００〜４０３の処理後、表示部３０によって、ＣＭ付配信データに基づいて表示部３０によって画像広告情報を表示させる（ステップ４０５）。
【００３５】
次に、表示部３０による画像広告情報の表示を、一定期間以上継続して行ったか否かを判定し（ステップ４０６）、表示部３０による画像広告情報の表示を一定期間以上継続して行ったとき、必ず、音声処理部６０によって、ＣＭ付配信データに基づいてスピーカ５０から音楽を出力させる。これにより、確実に、画像広告情報を使用者に通知することができる。
【００３６】
なお、上記第２実施形態では、画像広告情報の表示を、一定期間以上継続して行った後に、必ず、画像広告情報を表示させるようにした例につき説明したが、これに限らず、画像広告情報の表示を一定期間以上継続して行った後、キー操作部２０への所定操作がなされた時、音楽の出力を開始させるようにしてもよい。
【００３７】
さらに、上記第２実施形態では、画像広告情報の表示を、一定期間以上継続して行ったときスピーカ５０から音楽を出力させるようにした例につき説明したが、これに限らず、画像広告情報の表示を、一定回数（或いは、一定量）以上、継続して行ったときスピーカ５０から音楽を出力させるようにしてもよい。
【００３８】
さらに、上記第２実施形態では、個人通信端末として、携帯電話３００を適用した例につき説明したが、個人通信端末としてカーナビゲーション３３０を適用してもよい。ここで、カーナビゲーション３３０は、図１５に示すように、制御部３２１、ＧＰＳ３２２、操作部３２３、表示部（液晶パネル）３２４、無線部３２５、アンテナ３２６、及びスピーカ３２７から構成されている。
【００３９】
このように構成された配信システムにつき図１６を参照して説明する。配信局１００は、コンテンツデータとしての音楽データに画像広告情報を付加したＣＭ付配信データを連続して送信している（ステップ５０１Ａ）。
【００４０】
ここで、カーナビゲーション３３０の制御部３２１では、操作部３２３への所定操作に応じて配信データの配信処理を開始させると、ＣＭ付配信データをアンテナ３２６を経て無線部３２５を通して受信し（ステップ４０１）、ステップ４０４に進んで、ＣＭ付配信データの音楽データをスピーカ３２７から出力させるとともに、ＣＭ付配信データの画像広告情報を表示部３０によって表示させる。
【００４１】
なお、上記第２実施形態では、コンテンツデータとして音楽データを採用するとともに、広告情報として画像広告情報を採用した例につき説明したが、図１７、１８に示すように、コンテンツデータとして地図データ（カーナビゲーション用）を採用し、画像広告情報を採用して、表示部３２４によって、地図データ及び画像広告情報の双方を表示させる。これに伴い、ＧＰＳ３２２からの位置情報に応じて現在地の位置を表示部３２４によって表示させる。
【００４２】
ここで、車両の通常運転状態では、図１７に示すように、地図データの表示のうち下側において、長方形の画像で、広告情報を表示する。また、車両が交差点を曲がるとき、図１８に示すように、広告情報の表示面積を小さくして、地図データの表示のうち左下側において、長方形の画像で、画像広告情報を表示するようにしてもよい。これにより、車両が交差点を曲がるときには、地図データの表示の視認性を確保することができる。
【００４３】
（第３実施形態）
上記第１実施形態では、図１９に示すように、携帯電話３００は、スピーカ（或いは、イヤホン、ヘッドホン）から音楽を出力するとともに、表示部３０によって画像広告情報（静止画、動画）を表示させる例につき説明したが、これに限らず、図２０に示すように、個人通信端末として、携帯電話３００及びカーナビゲーション３３０を組み合わせるようにしてもよい。即ち、図２１に示すように、携帯電話３００としては、図３に示す電気回路構成が採用されて、カーナビゲーション３３０としては、図１５に示す電気回路構成が採用されている。但し、携帯電話３００の制御部１０は、カーナビゲーション３３０の制御部３２１との通信処理を行う。
【００４４】
このように構成された本第３実施形態の作動を図２２により説明する。先ず、配信局１００は、コンテンツデータとしての音楽データに画像広告情報を付加したＣＭ付配信データを連続して送信している（ステップ５０１Ａ）。但し、画像広告情報は、上記第１実施形態と同様に、広告主２００〜２０２コンピュータの２００Ａ〜２０２Ａによって、配信局１００のデータベース１０４に登録されたものである。
【００４５】
ここで、カーナビゲーション３３０の制御部３２１において、操作部３２３への所定操作に応じて、配信データ取得再生処理を開始する。先ず、受信開始信号を携帯電話３００の制御部１０に送信する（ステップ４００Ａ）。
【００４６】
次に、携帯電話３００の制御部１０においては、カーナビゲーション３３０からの受信開始信号を受けると、配信データ受信処理を開始する。先ず、ＣＭ付配信データをアンテナ８０を経て無線部７０を通して受信し（ステップ４０１）、ＣＭ付配信データをカーナビゲーション３３０の制御部３２１に転送する（ステップ４１０）。
【００４７】
次に、カーナビゲーション３３０の制御部３２１において、携帯電話３００からのＣＭ付配信データを受信し（ステップ４０１Ｂ）、ＣＭ付配信データに応じてスピーカ３２７から音楽を出力するとともに、表示部３２４に画像広告情報を表示させる（ステップ４０４）。その後、操作部３２３への所定操作に応じて、配信データ取得再生処理を停止させると（ステップ４０９）、停止信号を携帯電話３００の制御部１０に出力する。すると、携帯電話３００の制御部１０においては、ＣＭ付配信データの受信を停止する（ステップ４２０）。
【００４８】
なお、本発明の実施にあたり、個人通信端末としては、ＭＰ３プレイヤーに通信機能を付加したものを採用してもよい。
【００４９】
また、上記各実施形態では、コンテンツデータの一例として音データである音楽データを採用した例につき説明したが、これに限らず、音データとして、英会話、朗読等の音声等のデータを採用してもよい。
【図面の簡単な説明】
【図１】本発明の第１実施形態に係る配信システムのを示す概略図である。
【図２】図１に示す配信局の電気回路構成を示すブロック図である。
【図３】図１に示す携帯電話の電気回路構成を示すブロック図である。
【図４】上記第１実施形態の作動を示すフローチャートである。
【図５】上記第１実施形態の作動を説明する為の図である。
【図６】上記第１実施形態の変形例の作動を説明する為の図である。
【図７】上記第１実施形態の変形例の作動を説明する為の図である。
【図８】上記第１実施形態の変形例の作動を説明する為の図である。
【図９】上記第１実施形態の変形例の作動を説明する為の図である。
【図１０】上記第１実施形態の変形例の作動を説明する為の図である。
【図１１】上記第１実施形態の変形例の作動を説明する為の図である。
【図１２】上記第１実施形態の変形例の作動を説明する為の図である。
【図１３】上記第１実施形態の変形例の作動を説明する為の図である。
【図１４】本発明の第２実施形態の作動を示すフローチャートである。
【図１５】上記第２実施形態の変形例に係るカーナビゲーションの概略電気回路構成を示すブロック図である。
【図１６】上記変形例に係る作動を示すフローチャートである。
【図１７】上記変形例の作動を説明する為の図である。
【図１８】上記変形例の作動を説明する為の図である。
【図１９】上記第２実施形態を説明する為の図である。
【図２０】本発明の第３実施形態を説明する為の図である。
【図２１】上記第３実施形態の電気回路構成を示すブロック図である。
【図２２】上記第３実施形態の作動を示すフローチャートである。
【符号の説明】
１００…配信局、２００…広告主、２００Ａ…コンピュータ、
３００…携帯電話。
【図１】
0003610876.tif 000002
【図２】
0003610876.tif 000003
【図３】
0003610876.tif 000004
【図４】
0003610876.tif 000005
【図５】
0003610876.tif 000006
【図６】
0003610876.tif 000007
【図７】
0003610876.tif 000008
【図８】
0003610876.tif 000009
【図９】
0003610876.tif 000010
【図１０】
0003610876.tif 000011
【図１１】
0003610876.tif 000012
【図１２】
0003610876.tif 000013
【図１３】
0003610876.tif 000014
【図１４】
0003610876.tif 000015
【図１５】
0003610876.tif 000016
【図１６】
0003610876.tif 000017
【図１７】
0003610876.tif 000018
【図１８】
0003610876.tif 000019
【図１９】
0003610876.tif 000020
【図２０】
0003610876.tif 000021
【図２１】
0003610876.tif 000022
【図２２】
0003610876.tif 000023